(57)【要約】【課題】蛍光灯のちらつきを画像によって検出することにより、より正確な寿命を検出することのできるエレベーターの蛍光灯寿命診断装置を提供する。【解決手段】エレベーター乗りかご内を撮影する撮影手段と、この撮影手段により撮影した画像を４以上のブロックに分割する画像分割手段と、この分割した画像を記憶する画像記憶手段と、この画像のブロック毎に輝度を演算する輝度演算手段とを備えたエレベーターの画像処理装置において、画像の輝度を第１の所定時間毎に仕較する画像輝度比較手段と、この輝度の変化量が所定値以上となった場合に前記蛍光灯のちらつきであると判定する蛍光灯ちらつき検出手段と、この蛍光灯のちらつき回数を計測してちらつき回数が第１の所定時間よりも長い第２の所定時間内において所定回数以上となった場合に蛍光灯の寿命であると判定する蛍光灯寿命検出手段とを備える。【選択図】図１
2008044697.tif 000002
【特許請求の範囲】
【請求項１】
乗りかごの内部照明として蛍光灯を使用したエレベーターにあって、
前記エレベーター乗りかご内を撮影する撮影手段と、この撮影手段により撮影した画像を４以上のブロックに分割する画像分割手段と、この分割した画像を記憶する画像記憶手段と、この画像のブロック毎に輝度を演算する輝度演算手段とを備えたエレベーターの画像処理装置において、
前記記憶した画像の輝度を第１の所定時間毎に比較する画像輝度比較手段と、この輝度の変化量が所定値以上となった場合に前記蛍光灯のちらつきであると判定する蛍光灯ちらつき検出手段と、この蛍光灯のちらつき回数を計測してちらつき回数が第１の所定時間よりも長い第２の所定時間内において所定回数以上となった場合に蛍光灯の寿命であると判定する蛍光灯寿命検出手段とを備えたことを特徴とするエレベーターの蛍光灯寿命診断装置。
【発明の詳細な説明】
【技術分野】
【０００１】
本発明は、エレベーターの蛍光灯寿命診断装置に係り、特に画像を用いて蛍光灯のちらつきを検出するエレベーターの蛍光灯寿命診断装置に関する。
【背景技術】
【０００２】
エレベーター乗りかご内の蛍光灯寿命検出装置としては、集光器、出光器、照度検出器を設置してなる蛍光灯寿命検出装置が知られている（例えば、特許文献１参照）。
【０００３】
また、電流検出器を設置してなる蛍光灯異常診断装置も知られている（例えば、特許文献２参照）。
【特許文献１】特開平９−２４９３６４号公報
【特許文献２】特開平１０−２６１４９２号公報
【発明の開示】
【発明が解決しようとする課題】
【０００４】
前述した、集光器、出光器、照度検出器を設置してなる蛍光灯寿命検出装置は、集光器に集まるエレベーター乗りかご内の照度を検出し、その照度が基準値を下回った場合に蛍光灯の寿命を検出する方式である。このため、展望用エレベーターや窓付（ビジョンガラス付）エレベーター等のような太陽光がかご内に差し込むエレベーターにおいては、太陽光によってかご内の照度が基準値以上の状態となった場合に検出できないという問題があった。また、複数本ある蛍光灯のうち集光器から離れた１本の蛍光灯のみの照度が基準値を下回った場合は検出することが難しいという問題があった。更に、蛍光灯の照度が基準値を下回っただけで寿命と判断するため、ちらつき始めるより前に寿命と判断してしまうという問題があった。
【０００５】
また、前述した電流検出器を設置してなる蛍光灯異常診断装置においては、蛍光灯に流れる電流の変化によって蛍光灯の異常を診断する方式であるが、エレベーター乗りかご内に設置される蛍光灯の本数によって蛍光灯に流れる電流は異なり、蛍光灯の本数が多くなると蛍光灯の劣化やちらつき時においても電流値の変化が小さくなるため、正確な寿命検出が難しいという問題があった。
【０００６】
本発明は、前述した従来技術における実状からなされたもので、その目的は、蛍光灯のちらつきを画像によって検出することにより、より正確な寿命を検出することのできるエレベーターの蛍光灯寿命診断装置を提供することにある。
【課題を解決するための手段】
【０００７】
上記の課題を解決するために、本発明は、乗りかごの内部照明として蛍光灯を使用したエレベーターにあって、
前記エレベーター乗りかご内を撮影する撮影手段と、この撮影手段により撮影した画像を４以上のブロックに分割する画像分割手段と、この分割した画像を記憶する画像記憶手段と、この画像のブロック毎に輝度を演算する輝度演算手段とを備えたエレベーターの画像処理装置において、
前記記憶した画像の輝度を第１の所定時間毎に比較する画像輝度比較手段と、この輝度の変化量が所定倍以上となった場合に前記蛍光灯のちらつきであると判定する蛍光灯ちらつき検出手段と、この蛍光灯のちらつき回数を計測してちらつき回数が第１の所定時間よりも長い第２の所定時間内において所定回数以上となった場合に蛍光灯の寿命であると判定する蛍光灯寿命検出手段とを備えたことを特徴とする。
【発明の効果】
【０００８】
本発明によれば、分割した画像の各々において輝度の変化を捕えて蛍光灯のちらつきを検出するため、蛍光灯の本数にとらわれず、また１本の蛍光灯のみがちらついた場合においても適確に蛍光灯のちらつきを検出できるエレベーターの蛍光灯寿命診断装置を提供することができる。
【発明を実施するための最良の形態】
【０００９】
以下、本発明に係るエレベーターの蛍光灯寿命診断装置の実施形態を図に基づいて説明する。
【００１０】
図１は、本発明の一実施形態であるエレベーターの蛍光灯寿命診断装置を示すブロック図である。
【００１１】
図１において、１はエレベーター乗りかご、２はエレベーター乗りかご１の内部照明である蛍光灯、３はエレベーター乗りかご１の内部を撮影するカメラ、４は蛍光灯寿命診断装置を示す。また、４１はカメラ３により撮影された画像をデジタルデータに変換するＡ／Ｄ変換器、４２はＡ／Ｄ変換器４１によりデジタルデータに変換された画像データを格納する入力画像メモリ、４３は各画像処理を実行する画像処理ＣＰＵ、４４は画像処理ＣＰＵ４３により実行する画像処理プログラムを格納したＲＯＭ、４５は入力画像メモリ４２に格納された画像データを画像処理ＣＰＵ４３により分割した時の分割ブロック画像データを格納する出力画像メモリ、４６は画像処理ＣＰＵ４３により実行される各演算結果を格納する演算メモリである。このように、蛍光灯寿命診断装置４は、Ａ／Ｄ変換器４１、入力画像メモリ４２、画像処理ＣＰＵ４３、ＲＯＭ４４、出力画像メモリ４５、演算メモリ４６によって構成される。また、５は蛍光灯寿命診断装置４からの異常連絡を受ける監視センタである。
【００１２】
図２は、本発明の一実施形態を示すカメラでの撮影画像であり、３１はカメラ３により撮影された画像の一例を示す。
【００１３】
図３は、本発明の一実施形態を示す分割ブロック画像であり、４０１は蛍光灯が正常に点灯している時のカメラ画像３１を１６ブロックに分割した分割ブロック画像を示す。
【００１４】
図４は、本発明の一実施形態を示す分割ブロック画像であり、４０２はカメラから向かって一番左側の蛍光灯がちらつきにより消灯した時のカメラ画像を１６ブロックに分割した分割ブロック画像を示す。
【００１５】
図５は、本発明の一実施形態を示す輝度波形であり、蛍光灯がちらついた時に最も輝度の変化の差を検出した分割ブロック画像の１ブロックの輝度波形を示しており、例えば蛍光灯が正常に点灯している時の分割ブロック画像４０１における最も左上のブロック画像と、カメラから向かって一番左側の蛍光灯がちらつきにより消灯した時の分割ブロック画像４０２における最も左上のブロック画像とに示すように、蛍光灯のちらつきによって輝度が変化した場合の輝度波形を示してある。
【００１６】
図５において、Δｔ１は蛍光灯のちらつきを検出するための第１の所定時間、Δｔ２は蛍光灯のちらつき回数によって蛍光灯の寿命を判定するための第２の所定時間であり第１の所定時間Δｔ１よりも長く設定してある。また、Δ１ｘは蛍光灯のちらつきを検出するための輝度変化量の所定値である。
【００１７】
図６は、本発明の一実施形態を示すフローチャートである。
【００１８】
以下、図１から図６を用いて、本発明の具体的な処理について述べる。
【００１９】
まず、ステップＳ１でエレベーター乗りかご１に設置されたカメラ３の画像を入力画像メモリ４２に格納する。次ぎに、ステップＳ２では入力画像メモリ４２に格納された画像データを４以上に分割し、第１の所定時間Δｔ１毎に出力画像メモリ４５に格納する。また、ステップＳ３では出力画像メモリ４５に格納された分割画像データの輝度をブロック毎に演算し、演算メモリ４６に格納する。この結果を用いて、ステップＳ４では各ブロックの時間的な輝度の変化を第１の所定時間Δｔ１毎に演算し、ステップＳ５にて輝度の変化量が所定値Δ１ｘ以上となったブロックがあるかを判定する。この時、輝度の変化量が所定値Δ１ｘ以上となったブロックがあれば、ステップＳ６にて該当ブロックのちらつき検出回数をカウントアップし、演算メモリ４６に格納する。また、ステップＳ５にて輝度の変化量が所定値Δ１ｘ以上となったブロックがなければ、ステップＳ７に進み各ブロック共ちらつき検出回数はカウントアップしない。このように、ちらつき検出回数に関しては、ブロック毎にカウントアップする構成として各蛍光灯のちらつき回数を正確に検出している。続いて、ステップＳ８では第２の所定時間Δｔ２内にちらつき検出回数が所定回数以上となったブロックがあるかをチェックする。ここで、ちらつき検出回数が所定回数以上となったブロックがあれば、ステップ９に進み蛍光灯の寿命であると判定し、ステップＳ１０にて監視センタヘ蛍光灯の寿命を連絡し、蛍光灯寿命診断を終了する。ここで監視センタ５からは、蛍光灯のちらつきをカメラ３を通じて目視により確認することも容易に実施可能である。尚、ステップＳ８にてちらつき検出回数が所定回数以上となったブロックがなければ、ステップＳ１１に進んで第２の所定時間Δｔ２を経過したかをチェックし、第２の所定時間Δｔ２を経過していなければステップＳ１に戻り処理を継続する。また、ステップＳ１１にて第２の所定時間Δｔ２を経過していれば、ステップＳ１２に進み各ブロックのちらつき検出回数をクリアしてからステップＳ１に戻り処理を継続する。
【００２０】
このように、蛍光灯のちらつき時は、例えば図３の分割ブロック画像４０１と図４の分割ブロック画像４０２とにおける最も左上のブロック画像のように輝度が異なるブロックがあるため、この輝度の時間的な変化量が図５に示す輝度波形のようになり、第１の所定時間Δｔ１毎に輝度の変化量をチェックし、輝度の変化量が所定値Δ１ｘ以上となった場合にブロック毎にちらつき回数をカウントアップして、当該ブロックのちらつき検出回数が第２の所定時間Δｔ２内に所定回数以上となったことをもって蛍光灯の寿命と判定する構成にしてある。
【００２１】
以上説明したとおり、本実施形態によれば、分割した画像の各々において輝度の変化を捕えて蛍光灯のちらつきを検出するため、蛍光灯の本数にとらわれず、また１本の蛍光灯のみがちらついた場合においても適確に蛍光灯のちらつきを検出できるエレベーターの蛍光灯寿命診断装置を提供することができる。
【図面の簡単な説明】
【００２２】
【図１】本発明の一実施形態であるエレベータの蛍光灯寿命診断装置を示すブロック図である。
【図２】本発明の一実施形態を示すカメラでの撮影画像である。
【図３】本発明の一実施形態を示す分割ブロック画像である。
【図４】本発明の一実施形態を示す分割ブロック画像である。
【図５】本発明の一実施形態を示す輝度波形である。
【図６】本発明の一実施形態を示すフローチャートである。
【符号の説明】
【００２３】
１  エレベーター乗りかご
２  蛍光灯
３  カメラ
４  蛍光灯寿命診断装置
５  監視センタ
４１  Ａ／Ｄ変換器
４２  入力画像メモリ
４３  画像処理ＣＰＵ
４４  ＲＯＭ
４５  出力画像メモリ
４６  演算メモリ
【図１】
2008044697.tif 000003
【図２】
2008044697.tif 000004
【図３】
2008044697.tif 000005
【図４】
2008044697.tif 000006
【図５】
2008044697.tif 000007
【図６】
2008044697.tif 000008